(57)【特許請求の範囲】
【請求項１】
ＴＶ受信部を備える携帯端末の待受状態時に表示する待受画面の表示方法であって、
前記待受状態への遷移時に前記ＴＶ受信部を起動した際に、ＴＶ映像を録画したＴＶ録画画像のデータを記憶しているか否かを判別し、
前記ＴＶ録画画像のデータを記憶していると判別した場合、予め保存した待受画面のデータと該ＴＶ録画画像のデータとを合成し、
前記ＴＶ録画画像のデータを記憶していないと判別した場合、所定のダウンロード先からダウンロードしたダウンロード画像のデータを記憶しているか否かを判別し、
前記ダウンロード画像のデータを記憶していると判別した場合、前記待受画面のデータと該ダウンロード画像のデータとを合成し、
前記ダウンロード画像のデータを記憶していないと判別した場合、前記待受画面のデータと携帯端末に予め記憶されているプリセット画像のデータとを合成し、
合成した合成画像を表示した後、所定のタイミングで、前記合成画像内の画像を前記ＴＶ受信部が受信したリアルタイムのＴＶ映像に切替えて表示する、
ことを特徴とする待受画面の表示方法。
【請求項２】
前記所定のタイミングは、前記ＴＶ受信部がリアルタイムのＴＶ映像用のデータを出力することが可能となったタイミングである、
ことを特徴とする請求項１に記載の待受画面の表示方法。
【請求項３】
前記所定のタイミングは、前記合成画像内の画像の再生の終了のタイミングである、
ことを特徴とする請求項１に記載の待受画面の表示方法。
【請求項４】
リアルタイムのＴＶ映像に切替えて前記合成画像を表示してから所定時間経過後に、前記リアルタイムのＴＶ映像の表示を終了する、
ことを特徴とする請求項１に記載の待受画面の表示方法。
【請求項５】
前記所定時間が経過する前に、リアルタイムでＴＶを視聴するためのユーザの操作を検出した場合に、リアルタイムのＴＶ映像が合成されて表示されている前記合成画像を、継続的にＴＶ映像を見るための画像に切替えて表示する、
ことを特徴とする請求項４に記載の待受画面の表示方法。
【請求項６】
前記待受状態への遷移は、所定機能の終了時に発生する、ことを特徴とする請求項１に記載の待受画面の表示方法。
【請求項７】
前記待受状態への遷移は、パワーセーブ状態からの復帰時に発生する、ことを特徴とする請求項１に記載の待受画面の表示方法。
【請求項８】
前記ＴＶ録画画像のデータと前記ダウンロード画像のデータの少なくとも１つを定期的なバックグラウンドでの処理によって取得、保存する、
ことを特徴とする請求項１に記載の待受画面の表示方法。
【請求項９】
ＴＶ受信部を備える携帯端末において、
待受状態時に表示するための待受画面のデータと、所定の画像のデータとを記憶する画像記憶手段と、
待受状態への遷移時に前記ＴＶ受信部を起動した際に、ＴＶ映像を録画したＴＶ録画画像のデータが前記画像記憶手段に記憶されているか否かを判別し、
前記ＴＶ録画画像のデータが記憶されていると判別した場合、前記画像記憶手段に記憶されている待受画面のデータと該ＴＶ録画画像のデータとを合成し、
前記ＴＶ録画画像のデータが記憶されていないと判別した場合、所定のダウンロード先からダウンロードしたダウンロード画像のデータが前記画像記憶手段に記憶されているか否かを判別し、
前記ダウンロード画像のデータが記憶されていると判別した場合、前記待受画面のデータと該ダウンロード画像のデータとを合成し、
前記ダウンロード画像のデータが記憶されていないと判別した場合、前記待受画面のデータと前記画像記憶手段に記憶されているプリセット画像のデータとを合成し、
合成した合成画像を表示する画像合成表示手段と、
所定のタイミングで、前記合成画像内の画像を前記ＴＶ受信部が受信したリアルタイムのＴＶ映像に切替えて表示する表示制御手段と、
を備えることを特徴とする携帯端末。
【請求項１０】
前記所定のタイミングは、前記ＴＶ受信部がリアルタイムのＴＶ映像用のデータを出力することが可能となったタイミングである、
ことを特徴とする請求項９に記載の携帯端末。
【請求項１１】
前記所定のタイミングは、前記合成画像内の画像の再生の終了のタイミングである、
ことを特徴とする請求項９に記載の携帯端末。
【請求項１２】
前記表示制御手段は、リアルタイムのＴＶ映像に切替えて前記合成画像を表示してから所定時間経過後に、前記リアルタイムのＴＶ映像の表示を終了する、
ことを特徴とする請求項９に記載の携帯端末。
【請求項１３】
前記表示制御手段は、前記所定時間が経過する前に、リアルタイムでＴＶを視聴するためのユーザの操作を検出した場合に、リアルタイムのＴＶ映像が合成されて表示されている前記合成画像を、継続的にＴＶ映像を見るための画像に切替えて表示する、
ことを特徴とする請求項１２に記載の携帯端末。
【請求項１４】
前記待受状態への遷移は、所定機能の終了時に発生する、ことを特徴とする請求項９に記載の携帯端末。
【請求項１５】
前記待受状態への遷移は、パワーセーブ状態からの復帰時に発生する、ことを特徴とする請求項９に記載の携帯端末。
【請求項１６】
前記画像記憶手段は、前記ＴＶ録画画像のデータと前記ダウンロード画像のデータの少なくとも１つを定期的なバックグラウンドでの処理で取得して記憶する、
ことを特徴とする請求項９に記載の携帯端末。
【請求項１７】
ＴＶ受信部を備える携帯端末の制御プログラムであって、
該携帯端末を、
待受状態時に表示するための待受画面のデータと、所定の画像のデータとを記憶する画像記憶手段、
待受状態への遷移時に前記ＴＶ受信部を起動した際に、ＴＶ映像を録画したＴＶ録画画像のデータが前記画像記憶手段に記憶されているか否かを判別し、
前記ＴＶ録画画像のデータが記憶されていると判別した場合、前記画像記憶手段に記憶されている待受画面のデータと該ＴＶ録画画像のデータとを合成し、
前記ＴＶ録画画像のデータが記憶されていないと判別した場合、所定のダウンロード先からダウンロードしたダウンロード画像のデータが前記画像記憶手段に記憶されているか否かを判別し、
前記ダウンロード画像のデータが記憶されていると判別した場合、前記待受画面のデータと該ダウンロード画像のデータとを合成し、
前記ダウンロード画像のデータが記憶されていないと判別した場合、前記待受画面のデータと前記画像記憶手段に記憶されているプリセット画像のデータとを合成し、
合成した合成画像を表示する画像合成表示手段、
所定のタイミングで、前記合成画像内の画像を前記ＴＶ受信部が受信したリアルタイムのＴＶ映像に切替えて表示する表示制御手段、
として機能させることを特徴とする制御プログラム。
【請求項１８】
前記所定のタイミングは、前記ＴＶ受信部がリアルタイムのＴＶ映像用のデータを出力することが可能となったタイミングである、
ことを特徴とする請求項１７に記載の制御プログラム。
【請求項１９】
前記所定のタイミングは、前記合成画像内の画像の再生の終了のタイミングである、
ことを特徴とする請求項１７に記載の制御プログラム。
【請求項２０】
前記表示制御手段は、リアルタイムのＴＶ映像に切替えて前記合成画像を表示してから所定時間経過後に、前記リアルタイムのＴＶ映像の表示を終了する、
ことを特徴とする請求項１７に記載の制御プログラム。
【請求項２１】
前記表示制御手段は、前記所定時間が経過する前に、リアルタイムでＴＶを視聴するためのユーザの操作を検出した場合に、リアルタイムのＴＶ映像が合成されて表示されている前記合成画像を、継続的にＴＶ映像を見るための画像に切替えて表示する、
ことを特徴とする請求項２０に記載の制御プログラム。
【請求項２２】
前記待受状態への遷移は、所定機能の終了時に発生する、ことを特徴とする請求項１７に記載の制御プログラム。
【請求項２３】
前記待受状態への遷移は、パワーセーブ状態からの復帰時に発生する、ことを特徴とする請求項１７に記載の制御プログラム。
【請求項２４】
前記画像記憶手段は、前記ＴＶ録画画像のデータと前記ダウンロード画像のデータの少なくとも１つを定期的なバックグラウンドでの処理で取得して記憶する、
ことを特徴とする請求項１７に記載の制御プログラム。
【発明の詳細な説明】
【技術分野】
【０００１】
本発明は携帯端末のＴＶ（テレビジョン）表示機能に関し、特に、ＴＶ受信部を備える携帯端末の待受画面の表示方法、携帯端末及び制御プログラムに関する。
【背景技術】
【０００２】
ＴＶ機能付きワンセグ携帯端末等が普及してきているが、このような携帯端末を用いて能動的にＴＶを視聴する人の割合はまだ少ないのが実情である。【０００３】
特許文献１には、ＴＶ放送等を受信でき、待受け画面に予め録画した放送情報を表示できる携帯端末が開示されている。
特許文献１に記載の携帯端末では、ユーザが録画を開始する時間間隔又は時刻などのタイミング及び表示方法を設定することが可能であり、予め設定したタイミングで放送チャンネルを自動的に受信して放送情報（静止画、文字、動画コンテンツ）を取得して保存（録画）し、保存（録画）した動画コンテンツ等を携帯端末の待受画面に繰り返し表示したり、一定時間表示したりすることが可能である。
また、特許文献１には、放送情報の取得時に電波状況が悪くて正常なコンテンツが取得できない場合に、以前に録画した放送情報を利用するか、もしくは電波状況が良好になってからコンテンツを最取得することが記載されている。また、特許文献１には、ユーザの操作が設定時間以上ない場合に、ユーザが設定した待受画面の更新を中止すること、および、待受画面に表示するコンテンツを特定のサーバからダウンロードすることが記載されている。【０００４】
【特許文献１】特開２００５−２７７８６７号公報
【発明の開示】
【発明が解決しようとする課題】
【０００５】
ＴＶ視聴者は家庭ではＴＶ受像機を点けっ放しにすることが多い。何かしらの番組がリアルタイムで常に見られる状態にあることはＴＶの大きな特徴のひとつである。【０００６】
家庭でＴＶ番組をリアルタイムで常に見られる状態にする習慣をもつＴＶ視聴者は、ＴＶ機能付き携帯電話機（携帯端末）等でも、放送中のＴＶ番組等をリアルタイムで視聴可能な状態にする志向があると考えられる。【０００７】
特許文献１には携帯端末の待受け画面に事前に保存した放送情報やダウンロードコンテンツを再生して表示させることが記載されているが、ＴＶ視聴者にとっては、保存した放送情報を再生表示するよりは、待受け画面にも常に受信中のＴＶ番組がリアルタイムで表示される方が、ＴＶ放送の視聴促進には好適である。【０００８】
ところが、ＴＶ受信動作においては、受信電波の同期を取る処理などを行う必要があるために、ＴＶ受信動作が開始されてから一定時間（ワンセグ放送の場合、約４秒から１０秒以上）、ＴＶ放送を良好に受信することができないＴＶ表示のブランク期間が発生する。そのため、このブランク期間の間は、ユーザはＴＶを良好に視聴することができないため、苛立ちを感じ、視聴促進上、問題がある。これを回避するには、ＴＶチューナ等の電源を常時入れておき受信系を常に動作状態となるようにすればよいが、バッテリを使用する携帯端末においては無駄な電力消費を伴い現実的ではない。【０００９】
本発明は、前記事情に鑑みてなされたものであり、携帯端末によるＴＶ放送の利用を促進することを可能とした待受画面の表示方法、携帯端末及び制御プログラムを提供することを目的とする。
【課題を解決するための手段】
【００１０】
上記目的を達成するため、本発明の第１の観点にかかる待受画面の表示方法は、ＴＶ受信部を備える携帯端末の待受状態時に表示する待受画面の表示方法であって、前記待受状態への遷移時に前記ＴＶ受信部を起動した際に、ＴＶ映像を録画したＴＶ録画画像のデータを記憶しているか否かを判別し、前記ＴＶ録画画像のデータを記憶していると判別した場合、予め保存した待受画面のデータと該ＴＶ録画画像のデータとを合成し、前記ＴＶ録画画像のデータを記憶していないと判別した場合、所定のダウンロード先からダウンロードしたダウンロード画像のデータを記憶しているか否かを判別し、前記ダウンロード画像のデータを記憶していると判別した場合、前記待受画面のデータと該ダウンロード画像のデータとを合成し、前記ダウンロード画像のデータを記憶していないと判別した場合、前記待受画面のデータと携帯端末に予め記憶されているプリセット画像のデータとを合成し、合成した合成画像を表示した後、所定のタイミングで、前記合成画像内の画像を前記ＴＶ受信部が受信したリアルタイムのＴＶ映像に切替えて表示する、ことを特徴とする。
【００１１】
本発明の第２の観点にかかる携帯端末は、ＴＶ受信部を備える携帯端末において、待受状態時に表示するための待受画面のデータと、所定の画像のデータとを記憶する画像記憶手段と、待受状態への遷移時に前記ＴＶ受信部を起動した際に、ＴＶ映像を録画したＴＶ録画画像のデータが前記画像記憶手段に記憶されているか否かを判別し、前記ＴＶ録画画像のデータが記憶されていると判別した場合、前記画像記憶手段に記憶されている待受画面のデータと該ＴＶ録画画像のデータとを合成し、前記ＴＶ録画画像のデータが記憶されていないと判別した場合、所定のダウンロード先からダウンロードしたダウンロード画像のデータが前記画像記憶手段に記憶されているか否かを判別し、前記ダウンロード画像のデータが記憶されていると判別した場合、前記待受画面のデータと該ダウンロード画像のデータとを合成し、前記ダウンロード画像のデータが記憶されていないと判別した場合、前記待受画面のデータと前記画像記憶手段に記憶されているプリセット画像のデータとを合成し、合成した合成画像を表示する画像合成表示手段と、所定のタイミングで、前記合成画像内の画像を前記ＴＶ受信部が受信したリアルタイムのＴＶ映像に切替えて表示する表示制御手段と、を備えることを特徴とする。
【００１２】
本発明の第３の観点にかかる制御プログラムは、ＴＶ受信部を備える携帯端末の制御プログラムであって、該携帯端末を、待受状態時に表示するための待受画面のデータと、所定の画像のデータとを記憶する画像記憶手段、待受状態への遷移時に前記ＴＶ受信部を起動した際に、ＴＶ映像を録画したＴＶ録画画像のデータが前記画像記憶手段に記憶されているか否かを判別し、前記ＴＶ録画画像のデータが記憶されていると判別した場合、前記画像記憶手段に記憶されている待受画面のデータと該ＴＶ録画画像のデータとを合成し、前記ＴＶ録画画像のデータが記憶されていないと判別した場合、所定のダウンロード先からダウンロードしたダウンロード画像のデータが前記画像記憶手段に記憶されているか否かを判別し、前記ダウンロード画像のデータが記憶されていると判別した場合、前記待受画面のデータと該ダウンロード画像のデータとを合成し、前記ダウンロード画像のデータが記憶されていないと判別した場合、前記待受画面のデータと前記画像記憶手段に記憶されているプリセット画像のデータとを合成し、合成した合成画像を表示する画像合成表示手段、所定のタイミングで、前記合成画像内の画像を前記ＴＶ受信部が受信したリアルタイムのＴＶ映像に切替えて表示する表示制御手段、として機能させることを特徴とする。
【発明の効果】
【００１３】
本発明によれば、待受状態へ切替えの際にブランク期間が発生することがなく、画像が表示されるため、ＴＶ放送の利用を促進することができる。
【図面の簡単な説明】
【００１４】
【図１】本発明の第１の実施形態の携帯端末の概要を示す図であり、図１（ａ）は携帯端末の外観、図１（ｂ）は装置構成を示す図である。
【図２】携帯端末の表示制御に関する機能ブロック図である。
【図３】設定情報を説明するための図であり、図３（ａ）は録画設定、図３（ｂ）はダウンロード設定を示した図である。
【図４】設定情報を説明するための図であり、同４（ａ）は再生設定、図４（ｂ）は省電力設定を示した図である。
【図５】録画データ取得処理のフローチャートを示す図である。
【図６】待受画面表示処理のフローチャートを示す図である。
【図７】本発明の第２の実施形態の携帯端末の待受画面表示処理のフローチャートを示す図である。
【図８】本発明の第３の実施形態の携帯端末の表示制御に関する機能ブロック図である。
【図９】本発明の第３の実施形態の携帯端末の待受画面表示処理のフローチャートを示す図である。
【符号の説明】
【００１５】
１００  携帯端末
１  上部筐体
１１  表示部
１２  電波状況表示
１３  バッテリ残量表示
１４  表示アイコン
１５  ＴＶ表示エリア
２  下部筐体
２１  入力ボタン
２２  ＴＶボタン
３  ヒンジ部
４１  ＴＶチューナ
４２  通信部
４３  操作部
４４  表示部
４５  メモリ
４５１  ＲＯＭ
４５２  ＲＡＭ
４６  ＣＰＵ
５０  制御部
５１  記憶再生部
５２  表示制御部
５３  待受画面データ
５４  画像データ
５５  録画データ
５６  ダウンロードデータ
５７  プリセットデータ
５８  設定情報
【発明を実施するための最良の形態】
【００１６】
（構成の説明）
本発明の待受画面の表示方法、携帯端末及び制御プログラムの一実施形態について、以下詳細に説明する。【００１７】
（第１の実施形態）
図１は本発明の第１の実施形態の携帯端末１００の概要を示す図である。図１（ａ）は、携帯端末１００の外観を示す図である。図１（ｂ）は、携帯端末１００の装置構成を示す図である。【００１８】
携帯端末１００は、図１（ａ）に示すように折畳み型の携帯端末であり、上部筺体１と、下部筺体２と、ヒンジ部３とを備え、上部筺体１と下部筺体２とがヒンジ部３により折畳み可能に構成されている。
上部筐体１の前面には、液晶パネル等からなる表示部１１が形成される。下部筐体２の前面には、各種の入力操作をするための入力ボタン２１が形成される。【００１９】
図１（ａ）に示すように、上部筺体１の表示部１１には、受信電波の通信状況を示す電波状況表示１２、バッテリの残量を示すバッテリ残量表示１３、及び、メールやウエブ（Ｗｅｂ）等の各種アプリケーション（機能）を起動するための表示アイコン１４等が表示される。
また、表示部１１には、相手からの電話やメールの着信等を待っている状態（待受状態）時に、その状態を示す画面（待受画面）が表示される。該待受画面には、リアルタイムのＴＶ映像や録画したＴＶ映像やダウンロードコンテンツやプリセットコンテンツなどの映像を表示するＴＶ表示エリア１５が設けられる。【００２０】
携帯端末１００の装置構成を図１（ｂ）に示す。携帯端末１００は、ＴＶ放送を受信するＴＶチューナ４１、各種の画像データや、録画、表示等の制御に関する設定情報を保存するメモリ４５、通信部４２、操作部４３、表示部４４、及び、ＣＰＵ（Central Processing Unit）４６を備える。【００２１】
ＴＶチューナ（ＴＶ受信部）４１は、テレビ放送局等から送信される地上デジタル・ワンセグ放送（ワンセグ放送）やアナログ放送用の電波信号を受信し、受信した電波信号を音声データ及び画像データ（ＴＶ映像）にデコードして出力する。ＴＶチューナ（ＴＶ受信部）４１は、電源投入等により起動する。ＴＶチューナ４１が良好に表示可能なＴＶ映像を出力するためには、受信した電波信号の同期を取るなどの準備が必要となるため、起動してから数秒間の時間がかかる。ＴＶチューナ４１は、この出力するＴＶ映像の状態（品質）を示す状態（ステータス）情報を記憶している。【００２２】
通信部４２は、基地局への位置登録、相手端末との通話等の無線通信機能に加え、インターネットを介して、所定のウエブサイトから所定のコンテンツをダウンロードする機能を有する。【００２３】
操作部４３は、携帯端末１００のキー入力部等であり、ＴＶ機能を起動させるＴＶボタン２２、各種の機能キー、テンキー等の入力ボタン２１を備える。表示部４４は、ＬＣＤ（Liquid Crystal Display）等の表示パネルを備え、各種設定画面、待受画面、ＴＶ映像画面等を表示する。【００２４】
メモリ４５は、ＲＯＭ（Read Only Memory）４５１、ＲＡＭ（Random Access Memory）４５２等から構成され、携帯端末１００の記憶領域となる。ＲＯＭ４５１には制御プログラム等が格納される。ＲＡＭ４５２には不揮発性のＲＡＭが使用可能であり、各種の設定情報及び待受画面、ＴＶ映像、ダウンロードコンテンツ及びプリセットコンテンツ等の画像データ（待受画面データ、録画データ、プリセットデータ）を記憶する。なお、受信電波状況やバッテリ残量を示すデータは図示しない検出器により検出され、ＣＰＵ４６を介して、ＲＡＭ４５２に常時上書き保存される。【００２５】
ＣＰＵ４６は、ＲＯＭ４５１に格納された制御プログラムを読み込み、読み込んだ制御プログラムを実行することにより、前記各部（ＴＶチューナ４１、通信部４２、操作部４３、表示部４４、及び、メモリ４５）を制御し、以下説明する本実施形態の機能（処理）を実現する。【００２６】
図２は、携帯端末１００の表示制御に関する機能ブロック図である。  
制御部５０は、前述のＣＰＵ４６とメモリ４５とにより実現可能である。制御部５０は、記憶再生部５１と、表示制御部５２とを備える。【００２７】
記憶再生部５１は、待受画面データ５３と画像データと５４とを記憶し、こららのデータ５３、５４を表示部４４に再生（表示）する。また、記憶再生部５１は、画像データを記憶、再生するための各種の設定情報５８を記憶する。
なお、画像データ５４は、録画データ５５とダウンロードデータ５６とプリセットデータ５７とから構成される。録画データ５５は、ＴＶチューナ４１が受信したＴＶ映像を記録（録画）したデータである。ダウンロードデータ５６は、通信部４２がインターネットを介して所定のウェブサイト等からダウンロードした画像のデータ（コンテンツ）である。プリセットデータ５７は、携帯端末１００に予め記憶されている所定の画像のデータである。【００２８】
続いて、記憶再生部５１に記憶されている設定情報５８が示す各種の設定について説明する。
図３（ａ）は録画に関する設定項目、図３（ｂ）はダウンロードに関する設定項目を示した図である。図３（ａ）及び図３（ｂ）は、待受画面への遷移時に生じるリアルタイムでＴＶ画像を表示することができないブランク期間に表示するべき画像データ５４（録画データ５５、ダウンロードデータ５６）の取得方法に関する設定の設定項目を示している。【００２９】
録画に関する設定項目は、図３（ａ）に示すように、ＴＶ映像を録画するＴＶチャンネルを設定するための項目（「録画チャンネル」）、録画を開始する時間を設定するための項目（「録画時間」）、及び、録画する時間の長さを設定するための項目（「録画長」）からなる。
「録画チャンネル」には、例えば、「ＣＨ１」等直接ＴＶチャンネルを設定してもよいし、「視聴率の高いＴＶチャンネル」や、「最後に視聴したＴＶチャンネル」等を設定することも可能である。「録画時間」には、例えば、「毎朝６時」とか、「１時間毎」等を設定することが可能である。「録画長」には、例えば、「１０秒」、「３０秒」、「１分」、「３分」等を設定することが可能である。
なお、このような録画設定に基づいて実施されるＴＶ映像を録画する処理は、表示制御部５２がＴＶチューナ４１と記憶再生部５１とを制御することにより、携帯端末１００のバックグラウンド処理として実行することが可能である。【００３０】
ダウンロードに関する設定項目は、図３（ｂ）に示すように、ダウンロードするデータ（コンテンツ）が記憶されている場所のＵＲＬを設定するための項目（「ＵＲＬ」）、ダウンロードを開始する時間を設定するための項目（「ダウンロード時間」）、ダウンロードするデータ（コンテンツ）のサイズの上限値を設定するための項目（「ダウンロードサイズ」）からなる。「ＵＲＬ」には、例えば、「コンテンツプロバイダサーバ」、「携帯電話事業者のサーバ」、「テレビ局のサーバ」等にアクセスするためのＵＲＬを設定可能である。「ダウンロード時間」には、例えば、「毎朝６時」とか、「１時間毎」等を設定することが可能である。「ダウンロードサイズ」には、例えば、「３００ＫＢ」、「１ＭＢ」、「３ＭＢ」等が設定可能である。【００３１】
なお、このようなダウンロード設定に基づいて実施されるデータ（コンテンツ）をダウンロードする処理は、表示制御部５２が通信部４２と記憶再生部５１とを制御することにより、携帯端末１００のバックグラウンド処理として実行することが可能である。【００３２】
図４（ａ）は、待受状態時にＴＶ表示エリア１５に再生（表示）される画像データ５４の再生に関する設定項目を示した図である。【００３３】
再生に関する設定項目は、再生（表示）する画像データ５４の優先順位を設定するための項目（「優先順位」）、再生方法を設定するための項目（「再生方法」）、及び、再生時間を設定するための項目（「再生時間」）からなる。「優先順位」には、録画データ５５とダウンロードデータ５６とプリセットデータ５７とに「１位：録画データ５５、２位：ダウンロードデータ５６、３位：プリセットデータ５７」のように順位を付すことで設定が可能である。この優先順位に基づいて、待受状態時のＴＶ表示エリア１５に表示する画像データ５４が判別される。「再生方法」には、例えば、「一回再生」、「繰り返し再生」、「予め定められた優先順位に従う順番再生」の何れかを選択（設定）することが可能である。「再生時間」には、「ＴＶ表示の準備が完了するまで」、「指定コンテンツが終了するまで」等を設定することが可能である。【００３４】
図４（ｂ）は、省電力化に関する設定項目を示した図である。
省電力化に関する設定項目は、待受状態時にＴＶ表示エリア１５に表示されているリアルタイムのＴＶ映像を表示する時間（タイムアウト時間）を設定するための項目（「タイムアウト時間」）からなる。タイムアウト時間を短く設定すると、待受状態時に表示されるリアルタイムのＴＶ映像の表示時間も短くなり、ＴＶチューナ４１が電源ＯＮされる時間も短くなるため、省電力化が図れる。「タイムアウト時間」には、例えば、「５分」、「１０分」、「３０分」等を設定することが可能である。【００３５】
図２に戻り、表示制御部５２は、終話の操作や上下筺体１、２の開操作などによる携帯電話１００の待受状態への遷移に応答して、ＴＶチューナ４１と記憶再生部５１とを制御し、設定情報５８に基づいて、ＴＶ表示エリア１５にリアルタイムのＴＶ画像、又は、画像データ５４（録画データ５５、ダウンロードデータ５６、プリセットデータ５７）を表示する。【００３６】
（動作の説明）
携帯端末１００の動作について詳細に説明する。【００３７】
（設定情報登録処理）
まず、ユーザが、設定情報５８を登録する処理（設定情報登録処理）について説明する。
ユーザは、携帯端末の操作部４３を操作して、図３、図４に示す設定情報５８の設定を行う。例えば、ユーザは、表示部４４に設定を行うための設定画面を表示し、操作部４３を操作して該設定画面上に設定情報５８を入力する。ここでは、録画設定では、「録画チャンネル」に「ＣＨ１」を設定し、「録画時間」に「午前６時毎」を設定し、「録画長」に「１０秒」を設定する。また、再生設定では、「優先順位」に「1位：録画テ゛ータ,2位：フ゜リセットテ゛ータ,3位タ゛ウンロート゛テ゛ータ」を設定し、「再生方法」に「繰り返し再生」を設定し、「再生時間」に「ＴＶ表示の準備が完了するまで」を設定する。また、省電力設定では、「タイムアウト時間」に「５分」を設定したものとして以下の各処理を説明する。【００３８】
続いて、表示制御部５２は、ユーザによって入力されたこれらの情報を記憶再生部５１の設定情報５８として記憶する。なお、プリセットデータ５７は予めメモリ４５に記憶されている。【００３９】
（録画データ取得処理）
続いて、前述の設定情報登録処理で登録された「録画設定」に基づいて録画データ５５を取得する処理（録画データ取得処理）について説明する。
図５は、録画データ取得処理のフローチャートを示す図である。なお、録画データ取得処理は、携帯端末１００のバックグラウンド処理として実行される。【００４０】
表示制御部５２は、現在時刻を監視しており、現在時刻が録画設定の「録画時間」に設定した時刻（「午前６時」）になると（ステップＳ１１；Ｙｅｓ）、ＴＶチューナ４１の電源をＯＮ状態にする（ステップＳ１２）。
続いて、表示制御部５２は、記憶再生部５１を制御して、録画設定の「ＴＶチャンネル」に設定した「１ＣＨ」のＴＶ放送の録画を開始する（ステップＳ１３）。なお、前回の録画データ取得処理で取得した録画データ５５がある場合には、その録画データ５５を上書きして録画する。
続いて、表示制御部５２は、録画開始から録画設定の「録画長」に設定した時間（「１０秒」）が経過したか否かを判断し（ステップＳ１４）、未経過の場合（ステップＳ１４；Ｎｏ）、録画を継続し（ステップＳ１３）、１０秒が経過した場合（ステップＳ１４；Ｙｅｓ）、録画動作を終了する（ステップＳ１５）。
そして、表示制御部５２は、ＴＶチューナ４１の電源をＯＦＦ状態に切替える（ステップＳ１６）。以上で録画データ取得処理は終了する。【００４１】
以上の動作により携帯端末１００には、毎朝、１チャンネルのＴＶ画像を午前６時から１０秒間録画した録画データ５５が上書保存される。【００４２】
（待受画面表示処理）
次に、携帯端末１００の待受状態時に待受画面を表示する、待受画面表示処理について説明する。
図６は待受画面表示処理のフローチャートを示す図である。【００４３】
終話キーが押下される等して携帯端末１００上で何らかの機能（アプリケーション）の動作が終了した場合、又は、携帯端末１００を折り畳んだ状態から開くことでパワーセーブ状態から復帰した場合等に、携帯端末１００の待受状態（画面）への遷移が発生する。
携帯端末の表示制御部５２は、この待受状態（画面）への遷移を検出すると（ステップＳ２１）、ＴＶチューナ４１の電源をＯＮ状態にするとともに、ＴＶチューナ４１が出力するＴＶ映像の状態（品質）を示す状態（ステータス）情報を監視する（ステップＳ２２）。【００４４】
続いて、表示制御部５２は、録画データ５５が記憶再生部５１に存在するか否かを判別する（ステップＳ２３）。
録画データ５５が存在する場合（ステップＳ２３；Ｙｅｓ）、表示制御部５２は、待受画面データ５３と該録画データ５５の画像を合成（ＴＶ表示エリア１５に録画データ５５を合成）する（ステップＳ２４）。そして、表示制御部５２は、合成した画像（録画合成画像）を表示部４４に表示する（ステップＳ２５）。【００４５】
録画データが存在しない場合（ステップＳ２３；Ｎｏ）、表示制御部５２は、ダウンロードデータ５６が記憶再生部５１に存在するか否かを判別する（ステップＳ２６）。【００４６】
ダウンロードデータ５６が存在する場合（ステップＳ２６；Ｙｅｓ）、表示制御部５２は、待受画面データ５３と該ダウンロードデータ５６の画像を合成（ＴＶ表示エリア１５にダウンロードデータ５６を合成）する（ステップＳ２７）。そして、表示制御部５２は、合成した画像（ダウンロード合成画像）を表示部４４に表示する（ステップＳ２８）。【００４７】
ダウンロードデータ５６が存在しない場合（ステップＳ２６；Ｎｏ）、表示制御部５２は、待受画面データ５３とプリセットデータ５７の画像を合成（ＴＶ表示エリア１５にプリセットデータ５７を合成）する（ステップＳ２９）。そして、表示制御部５２は、合成した画像（プリセット合成画像）を表示部４４に表示する（ステップＳ３０）。【００４８】
次に、表示制御部５２は、ＴＶチューナ４１の状態情報を参照することにより、ＴＶ映像を表示するための準備が完了したか否かを判断する（ステップＳ３１）。ＴＶ映像を表示するための準備が完了していない場合（ステップＳ３１；Ｎｏ）、処理は待機し、現在の待受画面の表示は継続される。ＴＶ映像を表示するための準備が完了した場合（ステップＳ３１；Ｙｅｓ）、表示制御部５２は、ＴＶ表示エリア１５に表示中の画像データ５４（録画データ５５かダウンロードデータ５６かプリセットデータ５７の何れか）の再生を停止し、画像データ５４の映像に代えて、ＴＶチューナ４１から出力されるリアルタイムのＴＶ映像を待受画面に合成（ＴＶ表示エリア１５にＴＶ映像を合成）し、合成した画像（ＴＶ映像合成画像）を表示部４４に表示する（ステップＳ３２）。【００４９】
続いて、表示制御部５２は、省電力設定の「タイムアウト時間」に設定した「５分」が経過したか否かを判別し（ステップＳ３３）、タイムアウト時間が経過した場合（ステップＳ３３；Ｙｅｓ）、ＴＶ表示エリア１５に表示されているＴＶ映像をオフにし、ＴＶチューナ４１の電源をＯＦＦ状態にする（ステップＳ３４）。【００５０】
また、タイムアウト時間が経過する前に（ステップＳ３３；Ｎｏ）ユーザがＴＶボタン２２以外のキーボタンを操作した場合（ステップＳ３５；Ｙｅｓ）、表示制御部５２は、ＴＶ表示エリア１５に表示されているＴＶ映像をオフにするとともに、ＴＶチューナ４１の電源をＯＦＦ状態にし、ユーザの操作内容に対応した画面に、表示部４４の表示を切替える（ステップＳ３４）。【００５１】
更に、前記タイムアウト時間が経過する前に（ステップＳ３３；Ｎｏ）ユーザがＴＶボタン２２を操作した場合（ステップＳ３６；Ｙｅｓ）、表示制御部５２は、ＴＶ表示エリア１５に表示されているＴＶ映像をオフにするとともに、ＴＶ視聴用のアプリケーションを起動し、該アプリケーション上の画面に表示していたチャンネル（ＣＨ１）のＴＶ映像を継続して表示する（ステップＳ３７）。
また、ステップＳ３５、Ｓ３６でボタンの押下等の操作がなければステップＳ３２に戻り、ＴＶ表示エリア１５にＴＶ映像が表示されている待受画面の表示を継続する。【００５２】
このように、本実施形態によれば、ユーザが終話キーを押下する等して待受状態への遷移が発生した場合、表示制御部５２は、ＴＶ表示エリア１５に録画データ５５かダウンロードデータ５６かプリセットデータ５７を表示させた待受画面を作成して表示部４４に表示する。そして、ＴＶ映像を表示するためのＴＶチューナ４１の準備が完了すると、ＴＶ表示エリア１５に表示させる画像をリアルタイムのＴＶ映像に切換える。そして、その後、ユーザがタイムアウト時間が経過する前にＴＶボタン２２以外のボタンを押下すると、表示制御部５２は、ＴＶ表示エリア１５の表示を終了させ、ユーザがＴＶボタン２２を押下すると、表示制御部５２は、待受画面から通常のＴＶ視聴用のアプリケーションによるリアルタイムのＴＶ視聴用の画面に切替える。【００５３】
従って、本実施形態では、待受画面への遷移が発生した場合、始めに録画データ５５かダウンロードデータ５６かプリセットデータ５７を再生し、ＴＶ視聴準備完了後、このデータ５５、５６、５７の再生を終了した後、ＴＶ視聴を開始する仕組みであるから、ＴＶチューナ４１の電波信号の受信状態が安定するまでの間、即ちＴＶ映像を良好に表示できない状態においても、録画データ５５やダウンロードデータ５６やプリセットデータ５７を再生することで、待受画面表示時に、速やかにＴＶ映像コンテンツを表示することが可能となり、ＴＶ視聴の促進を図ることができる。【００５４】
また、本実施形態では、待受画面への遷移時に録画データ５５やダウンロードデータ５６が表示される。従って、表示されたこれらのデータ５５、５６に関連するＴＶ番組を見るために、今後ユーザが携帯端末１００のＴＶ機能（ＴＶ視聴用アプリケーション）を起動することが期待できるから、ユーザのＴＶ視聴機会の増加の促進を図ることが可能である。また、ダウンロードデータ５６のダウンロード元であるサーバ（例えば、コンテンツプロバイダサーバなど）で、アップロードするダウンロードデータ５６を日替わりで更新するなどして、ユーザの興味を惹くものにすると、上記効果はさらに期待できる。【００５５】
また、本実施形態では、待受画面への遷移直後における、準備のためＴＶ視聴ができない期間（ブランク期間）にも、録画データ５５やダウンロードデータ５６やプリセットデータ５７が再生されるため、ユーザの時間の有効利用が可能になり、映像が表示されない画面（ブランク画面）をなくすことができるから、ユーザのストレスをも軽減できる。【００５６】
また、本実施形態では、バックグラウンド処理により定期的な録画又はダウンロードを行うことで、ＴＶ視聴準備中に表示するコンテンツ（録画データ５５、ダウンロードデータ５６）を電力消費を節約して更新することができる。【００５７】
（第２の実施形態）
第１の実施形態では、待受画面のＴＶ表示エリア１５へ表示するリアルタイムのＴＶ映像の切替えを、ＴＶ映像の表示の準備が完了した時点で行うように制御した。それに対して、本実施形態では、この切替えのタイミングを、録画データ５５、ダウンロードデータ５６及びプリセットデータ５７の再生終了時点で行うようにすることを特徴とする。【００５８】
本実施形態は、図４に示す再生設定の「再生時間」に、「指定コンテンツ終了するまで」を設定することにより実現される。また、本実施形態の携帯端末１００の装置構成と機能構成は、図１（ｂ）と図２に示す構成と同様である。【００５９】
図７は、本実施形態の携帯端末１００の待受画面表示処理のフローチャートを示す図である。このフローチャートは、図６に示すフローチャートのステップＳ３１を、再生中の画像データ５４（録画データ５５、ダウンロードデータ５６、プリセットデータ５７）の再生が終了したか否かを判別するステップＳ３８の処理に変更したものである。ステップＳ３８以外の各ステップの処理は、図６のフローチャートの各ステップの処理と実質的に同様の処理である。【００６０】
（第３の実施形態）
以上説明したこれらの実施形態では、待受画面のＴＶ表示エリア１５にリアルタイムのＴＶ映像を表示させるタイミングを、ＴＶ表示の準備完了したタイミング、又は、画像データ５４の再生が終了したタイミングで行う構成例を示した。これに対し本実施形態では、待受画面への遷移から所定時間後に、ユーザのボタン操作等により切替えるようにしたことを特徴とする。【００６１】
本実施形態の携帯端末１００の装置構成は、図１（ｂ）に示す構成と同様であり、ＴＶチューナ４１、ＲＯＭ４５１とＲＡＭ４５２とを備えるメモリ４５、通信部４２、操作部４３、表示部４４及びＣＰＵ（中央処理装置）４６を備える。ＣＰＵ４６は、ＲＯＭ４５１に格納された制御プログラムを読み込み、読み込んだ制御プログラムを実行することで、各部を制御し、以下説明する本実施形態の機能を実現する。【００６２】
図８は、本実施形態の携帯端末１００の表示制御に関する機能ブロック図である。制御部５０は、待受画面データ５３と画像データ５４とを記憶、再生する記憶再生部５１と、待受画面の表示の制御を行う表示制御部５２とを備える。【００６３】
記憶再生部５１は、少なくとも待受画面データ５３、待受画面に合成する画像データ５４を記憶、再生する機能を有している。画像データ５４は、録画データ、必要によりダウンロードデータ、プリセットデータ等である。【００６４】
表示制御部５２は、終話など待受状態への遷移の情報、操作部４３の操作情報を入力し、ＴＶチューナ４１、記憶再生部５１を制御し、前記画像データの記憶及び記憶した画像による待受画面の合成表示等の制御を行う。
特に表示制御部５２は、再生表示の制御に関し、再生した待受画面データと画像データを入力し、待受画面に画像を合成して表示部４４に出力する機能、時間監視による一定時間後又は操作部４３からのユーザの入力操作により待受画面への再生データの合成をリアルタイムのＴＶ映像に切換えて表示部４４に出力する機能、ボタン操作等によりを待受画面へのＴＶ映像の合成を停止し、当該操作に応じた表示等の動作に遷移する機能等、を有する。【００６５】
図９は、本実施形態の携帯端末１００の待受画面表示処理のフローチャートを示す図である。
携帯端末１００の表示制御部５２は、待受状態（画面）への遷移を検出すると（ステップＳ４１）、ＴＶチューナ４１を起動し（ステップＳ４２）する。続いて、表示制御部５２は、記憶再生部５１を制御して、待受画面データ５３と画像データ５４を合成（ＴＶ表示エリア１５に録画データを合成）して（ステップＳ４３）、表示部４４に表示する（ステップＳ４４）。次に、表示制御部５２は、所定時間が経過したか、又は、ユーザの操作部４３の所定のＴＶ映像への切替操作（例えば、ＴＶボタン２２の押下）が有ったか否かを判別する（ステップＳ４５）。そして、所定時間が経過したかＴＶ映像への切替操作が有った場合（ステップＳ４５；Ｙｅｓ）、表示制御部５２は、ＴＶ表示エリア１５に表示している画像データ５４の再生を停止し、画像データ５４の映像に代えて、ＴＶチューナ４１から出力されるリアルタイムのＴＶ映像を待受画面に合成（ＴＶ表示エリア１５にＴＶ映像を合成）し、合成した画像（ＴＶ映像合成画像）を表示部４４に表示する（ステップＳ４６）。【００６６】
その後、表示制御部５２は、所定のアプリケーションを起動させるためのユーザによるボタン操作等を検出すると（ステップＳ４７；Ｙｅｓ）、ＴＶ表示エリア１５に表示されているＴＶ映像をオフにし、ＴＶチューナ４１の電源をＯＦＦ状態にし、また、ユーザの操作内容に対応した画面に、表示部４４の表示を切替える（ステップＳ４８）。【００６７】
以上の動作により、例えばユーザの終話キーの押下等により待受状態への遷移が発生すると、ＴＶ表示エリア１５には、一旦、画像データ５４が表示された後、所定時間経過した場合、又は、ユーザの操作が検出された場合に、ＴＶ表示エリア１５にはリアルタイムのＴＶ映像が切換えて表示されて、待受画面でのＴＶ視聴が可能となる。【００６８】
なお、本発明は上述の実施形態に限定されるものではなく、本発明の要旨を逸脱しない範囲で種々変形して実施することが出来る。【００６９】
本発明は、情報処理端末、ＰＤＡ（Personal Digital Assistants）、ワンセグ携帯端末等、各種のＴＶ受信部を備える携帯端末に適用することが可能である。【００７０】
本出願は、２００７年１０月１６日に出願された日本国特許出願特願２００７−２６９３９２号に基づく。本明細書中に、それらの明細書、特許請求の範囲、図面全体を参照として取り込むものとする。
【産業上の利用可能性】
【００７１】
本発明は、ＴＶ映像を表示可能な携帯電話等で利用可能である。
【図１】
0005526781.tif 000002
【図２】
0005526781.tif 000003
【図３】
0005526781.tif 000004
【図４】
0005526781.tif 000005
【図５】
0005526781.tif 000006
【図６】
0005526781.tif 000007
【図７】
0005526781.tif 000008
【図８】
0005526781.tif 000009
【図９】
0005526781.tif 000010